(57)【要約】【課題】集合住宅など建物における床構造に関し、荷重に対して十分な剛性が確保できるとともに固体伝播音が防止されて遮音性能にも優れた床構造を提供することを課題とする。【解決手段】部屋の向かい合う壁際同士間に、所定の間隔をおいて並列に配置にされる断面が略多角形筒状の大引材６と、この大引材６の上部に配置される床板８と、部屋の基礎面２に設置され、上記大引材６の両端部を緩衝支持する高さ調整可能な支持脚４と、上記大引材６の中間部に１箇所又は数箇所配置され、上記大引材６の沈み込みを低減する補強支持脚９と、を有する構成である。【選択図】  図１
2008196120.tif 000002
【特許請求の範囲】
【請求項１】
部屋の向かい合う壁際同士間に、所定の間隔をおいて並列に配置にされる断面が略多角形筒状の大引材と、
この大引材の上部に配置される床板と、
部屋の基礎面に設置され、上記大引材の両端部を緩衝支持する高さ調整可能な支持脚と、
上記大引材の中間部に１箇所又は数箇所配置され、上記大引材の沈み込みを低減する補強支持脚と、を有することを特徴とする床構造。
【請求項２】
上記大引材の中間部に上記補強支持脚を１箇所又は２箇所設け、載荷荷重４００ｋｇｆ／ｍ２における沈み込みの変位が７．５ｍｍ以下で、かつ局部曲げ荷重１００ｋｇｆにおける変位が３．０ｍｍ以下となるよう上記大引材を補強したことを特徴とする請求項１記載の床構造。
【請求項３】
上記大引材を、鋼製で断面が四角形の角筒とし、この角筒の板厚を０．８ｍｍ以上３．２ｍｍ以下としたことを特徴とする請求項１又は請求項２記載の床構造。
【請求項４】
上記大引材の重量を、１．５ｋｇ／ｍ以上５．０ｋｇ／ｍ以下としたことを特徴とする請求項３記載の床構造。
【請求項５】
上記床板の上から上記大引材の上面部にビスを螺入して床板を大引材に固定したことを特徴とする請求項３又は請求項４記載の床構造。
【請求項６】
上記大引材の筒内に、鋼材、アルミニウム材、木材、合成木材、樹脂発泡材などの補強材を内挿したことを特徴とする請求項１乃至請求項５の何れかに記載の床構造。
【請求項７】
上記大引材を上記支持脚の上部に固定し、かつこの支持脚の下端部を接着材を用いて基礎面に固着したことを特徴とする請求項１乃至請求項６の何れかに記載の床構造。
【請求項８】
隣り合う上記大引材間に、横桟を設けて大引材同士を連結したことを特徴とする請求項１乃至請求項７の何れかに記載の床構造。
【発明の詳細な説明】
【技術分野】
【０００１】
本発明は、集合住宅など建物における床構造に関する。
【背景技術】
【０００２】
従来、集合住宅などでは、コンクリート等の躯体に各階の床スラブが形成されており、この床スラブに敷設した床に加わる振動が階下或いは隣接部屋などに振動騒音となって伝播する。このため、床構造上の機能として固体伝播音を防ぎ、遮音性能を高める必要がある。ここで例えば特許文献１には、建物の床構造として、床支持手段を用いて、大引ビームをコンクリート躯体の支持面として打増部もしくは縦逆小梁上に支持するものが記載されている。
【０００３】
また特許文献２には、コンクリート躯体構造をもつ建築物において、床スラブの床構造体を、床スラブから絶縁した状態で、コンクリート躯体の鉛直躯体壁に支持する床支持構造が開示されている。この床支持構造は、床構造体の床板の支持部材である大引ビームを、床スラブとの間に隙間をあけて配置し、その大引ビームの両端部を、鉛直躯体壁との間に隙間を存して配置し且つ該躯体壁に弾性体を介して支持したものである。
【０００４】
また、上記床スラブと各大引ビームの中間部との間に、該ビームが下向きの衝撃荷重を受けたときにその衝撃荷重の床スラブへの伝播を阻止しつつ該ビームの上下振動を抑制する制振装置を介装している。この床支持構造により、床構造体に発生する振動騒音を鉛直躯体壁に分散伝播させ、遮音性能を向上させ且つ床構造体をより安定よく支持できるようにし、床構造体の上下振動を効果的に抑制、減衰できるようにして居住性の向上を図るというものである。
【０００５】
【特許文献１】特許３７４２０８１号公報
【特許文献２】特開２００４−２７０４３６公報
【発明の開示】
【発明が解決しようとする課題】
【０００６】
しかしながら、上記特許文献１、特許文献２に記載の大引ビームは、居室空間の端部から端部までの長さを有するものであるため、大引ビーム材に所定の剛性がないと荷重に対して沈み込み量が大きくなり、室内の歩行感、家具の設置安定性が悪いという問題がある。また、大引ビーム材自体に剛性を持たせようにすると、大引ビーム材の重量が増えて結果的に自重による沈み込み量が大きくなり、躯体への重量負荷も大きくなり、またコストも増え、作業性も劣るという問題がある。
【０００７】
本発明は上記問題点を解決するためになされたものであり、荷重に対して十分な剛性が確保できるとともに固体伝播音が防止されて遮音性能にも優れた床構造を提供することを目的とする。
【課題を解決するための手段】
【０００８】
以上の技術的課題を解決するため、本発明に係る床構造は、図１等に示すように、部屋の向かい合う壁際同士間に、所定の間隔をおいて並列に配置にされる断面が略多角形筒状の大引材６と、この大引材６の上部に配置される床板８と、部屋の基礎面２に設置され、上記大引材６の両端部を緩衝支持する高さ調整可能な支持脚４と、上記大引材６の中間部に１箇所又は数箇所配置され、上記大引材６の沈み込みを低減する補強支持脚９と、を有する構成である。
ここで断面が略多角形筒状とは、断面が多角形の筒形態（角筒）の他、断面が多角形の筒の一部を開いた形状（例えばコの字状の両端部を内側に屈曲してフランジ部を設けた形状）も含まれる。また、上記補強支持脚９は、大引材の沈み込みが低減できる最小の個数であることが好ましく、このため上記数箇所とはせいぜい２〜４箇所程度の個数である。
【０００９】
本発明に係る床構造は、上記大引材６の中間部に上記補強支持脚９を１箇所又は２箇所設け、載荷荷重４００ｋｇｆ／ｍ２における沈み込みの変位が７．５ｍｍ以下で、かつ局部曲げ荷重１００ｋｇｆにおける変位が３．０ｍｍ以下となるよう上記大引材６を補強した構成である。
【００１０】
本発明に係る床構造は、上記大引材６を、鋼製で断面が四角形の角筒とし、この角筒の板厚を０．８ｍｍ以上３．２ｍｍ以下とした構成である。
【００１１】
本発明に係る床構造は、上記大引材６の重量を、１．５ｋｇ／ｍ以上５．０ｋｇ／ｍ以下とした構成である。
【００１２】
本発明に係る床構造は、上記床板８の上から上記大引材６の上面部にビスを螺入して床板８を大引材６に固定した構成である。
【００１３】
本発明に係る床構造は、上記大引材６の筒内に、鋼材、アルミニウム材、木材、合成木材、樹脂発泡材などの補強材を内挿した構成である。
【００１４】
本発明に係る床構造は、上記大引材６を上記支持脚４の上部に固定し、かつこの支持脚４の下端部を接着材を用いて上記基礎面２に固着した構成である。
【００１５】
本発明に係る床構造は、隣り合う上記大引材６間に、横桟７を設けて大引材６同士を連結した構成である。
【発明の効果】
【００１６】
本発明に係る床構造によれば、多角形で筒状の大引材、この大引材の上部に配置される床板、大引材の両端部を緩衝支持する支持脚、及び大引材の中間部に配置される補強支持脚を有する構成としたから、筒状大引材は軽量でも充分な剛性が確保できて運搬性及び作業性が良く、併せて補強支持脚の本数を少なくすることができ、これにより固体伝播音を防ぎ、遮音性能を高めることができるという効果を奏する。
【００１７】
本発明に係る床構造によれば、大引材の中間部に補強支持脚を１箇所又は２箇所設け、載荷荷重の変位が７．５ｍｍ以下で、かつ局部曲げ荷重の変位が３．０ｍｍ以下となるよう大引材を補強した構成としたから、少ない補強支持脚で大引材の補強が有効に行え、部品点数が削減でき施工性、経済性にも優れるという効果がある。
【００１８】
本発明に係る床構造によれば、大引材の角筒の板厚を０．８ｍｍ以上３．２ｍｍ以下とし、また大引材の重量を、１．５ｋｇ／ｍ以上５．０ｋｇ／ｍ以下としたから、筒状鋼管は軽量でも充分な剛性が確保できて運搬性及び作業性が良く、高さ調整も容易であるという効果がある。
【００１９】
本発明に係る床構造によれば、床板の上から大引材の上面部ビスを螺入して床板を大引材に固定したから、根太材が不要となって床構造及び施工が簡略化され、施工性、経済性に優れるという効果がある。
【００２０】
本発明に係る床構造によれば、大引材の筒内に、鋼材、アルミニウム、木材、合成木材、樹脂発泡材などの補強材を内挿したから、大引材の剛性の確保が効果的に行えるという効果がある。
【００２１】
本発明に係る床構造によれば、大引材を支持脚の上部に固定し、かつこの支持脚の下端部を基礎面に固着するようにしたから、振動による上方への移動を防ぎ大引材の支持固定が確実に行えるという効果がある。
【００２２】
本発明に係る床構造によれば、隣り合う大引材間に、横桟を設けて大引材同士を連結したから、大引材の横振れが防止できまた大引材の施工が強固に行えるという効果がある。
【発明を実施するための最良の形態】
【００２３】
以下、本発明に係る床構造の実施の形態を図面に基づいて説明する。
図１は、コンクリート構造の集合住宅などの建物における室内の床構造を示したものである。この部屋は平面が長方形状であり、床スラブの周囲は建物の躯体としての壁面が形成されており、上記床構造は床スラブに施工される二重床である。この床構造は、床スラブ２に立設固定される支持脚４、両支持脚４間に架設される大引材６、遮音マット５、上記大引材６の上部に配置される下張板８、及び床面の仕上げ用の化粧板１０を有している。
【００２４】
上記支持脚４は図２（ａ）（ｂ）（ｃ）に示すように、台座１２、支持部材１４、及び受け具１６からなる。上記台座１２は、ゴム又は合成樹脂などの弾性材からなる略円板状の形状をなし、外周部に設けられた堤部１８により台座１２の上部には円形状の凹部２０が形成されている。また、台座１２には中央部に円形の孔部２２が設けられ、この孔部２２の周囲に環状に複数の孔部２４が形成されている。さらに、台座１２の裏面部には、放射状に複数の溝部２６が形成されている。
【００２５】
上記支持部材１４は鋼材或いは合成樹脂からなり、円板部２８とこの円板部２８の中心位置に固定立設されたボルト部３２からなる。このボルト部３２には、全体に螺子溝が刻設されている。上記円板部２８には、ボルトの立設位置の周囲に環状に複数の孔部３４が形成されている。この円板部２８の各孔部３４は、上記台座１２の各孔部２４とは孔部同士がそれぞれ重なるように同一形状に形成されている。上記台座１２の円形状の凹部２０には、上記支持部材１４の円板部２８を着座させて使用するが、このとき上記円板部２８の孔部３４は、上記台座１２の孔部２４とは各孔部同士の位置を一致させておく。
【００２６】
上記受け具１６は図３（ａ）に示すように、受け部材１７と保持部材１９からなる。この受け部材１７は、ゴム或いは合成樹脂などの弾性材からなる板材であり、外形は八角形状で中央部には上下に貫通した孔部３６が形成されている。上記受け部材１７の裏面部に設けたリング状の鍔部（溝状）に上記保持部材１９が嵌入され、回転可能な状態となっている。この保持部材１９は図３（ｂ）に示すように、鋼材或いは合成樹脂からなり、円板部３５の中央にはこの円板部３５の孔部と螺子孔が連通する状態でナット部３７が一体に設けられている。
【００２７】
上記支持脚４は、台座１２の凹部２０に支持部材１４の円板部２８を着座（或いは接着固定）させ、この支持部材１４のボルト部３２の上部に上記受け具１６のナット部３７を螺着して取り付ける。この支持脚４は、上記受け具１６を回転操作して高さ調整を行う。
【００２８】
図４（ａ）（ｂ）に示すように、上記支持脚４間に架設される大引材６は取付け金具３８を用いて支持脚４の受け具１６に固定する。この取付け金具３８は一対の金具片４０，４１を有し、各金具片は鋼板を屈曲成形したもので断面コの字状の嵌込み部４２、及びこの嵌込み部４２の端部から上方に屈曲形成された取付け部４４からなる。この取付け部４４には、ビス用の孔部４６が２箇所設けられている。
【００２９】
上記大引材６は図４（ｂ）に示すように、下面部４８、左右の側面部５０及び上面部５２からなり、鋼板を断面矩形の角筒状に成形した長尺材である。この実施の形態で用いた大引材６は、縦幅９０ｍｍ、横幅５０ｍｍ、板厚１．２ｍｍであり、断面が縦に長い長方形状の角筒材である。このように大引材６として、鋼製の角筒材を用いることで高剛性、かつ軽量化を図っている。また、大引材６は図４（ｃ）に示すように、フランジ部４９、左右の側面部５０及び上面部５２からなり、筒の一部を削除して開口部５１を設けた形態を採用することもできる。この大引材６は、鋼板を断面を略矩形筒状に成形した長尺材である。
【００３０】
上記大引材６の板厚は、この実施の形態では１．２ｍｍとしているが、この板厚は０．８ｍｍ〜３．２ｍｍの範囲が適当であり、より好ましくは０．８ｍｍ〜２．３ｍｍの範囲が適当である。大引材６の板厚を上記範囲としたのは、大引材６の軽量化が図れるとともに、大引材６の上部に床材を下記ビス５５止めする場合にビス５５が比較的容易に上面部５２に螺着できるためである。板厚が２．３ｍｍを越える場合には、座繰りなどの処理を施すとビス５５止めが容易に行える。また、上記大引材６の筒内に、鋼材、アルミニウム材、木材、合成木材、樹脂発泡材などの補強材を内挿することとしても良い。これらの補強材を大引材６内に挿設することで、大引材の剛性が高められる。
【００３１】
上記支持脚４に大引材６を固定する場合には、受け具１６に設けた保持部材１９を回転させて高さ調整を行う。このとき、受け具１６の受け部材１７を大引材６の向きにあわせるとともに保持部材１９を回転させ、この後支持脚４の受け具１６の中央部に大引材を載置し、上記取付け金具３８の一方の金具片４０の嵌込み部４２を受け具１６の一端部側から嵌め込んで係止させ、他方の金具片４１についても受け具１６の他端部側から嵌め込む。そして、各金具片４０，４１の取付け部４４をそれぞれ大引材６の側面部５０に当て、各金具片４０，４１の取付け部４４をビス４５にて大引材６に固定する。このビス４５としては、大引材６の鋼板に下穴をあけるとともにタップ立て締め付けが同時にできるセルフドリリングビスなどが用いられる。上記大引材６は支持脚４に固定された状態で、この大引材６の下向きの荷重は取付け金具３８とともに受け具１６で緩衝支持される。併せて、支持脚４の台座１２によっても大引材６は支持脚４に緩衝支持される。
【００３２】
上記遮音マット５は、不織布或いはグラスウールなどをボード状に成形したものであり、これは吸音、断熱材としての効果がある。上記下張板８は、合板或いはパーティクルボードからなる。ここでは、下張板８として板厚２０ｍｍのパーティクルボードを用い、上記化粧板１０として板厚１２ｍｍのフローリング材を用いた。
【００３３】
ここで、上記床構造をコンクリート構造の建物の室内に施工する手順について説明する。部屋の床面が長方形の場合には、短辺部にこの辺部と平行に大引材６を配置し、大引材６を架設するスパンを短かくして剛性を確保する。上記床構造を施工する部屋は長方形状の床スラブ２を有しているため、短辺部と平行に一定間隔（例えば６０８ｍｍ）をおいて大引材６を配置する。このため上記支持脚４は、向かい合う長辺部側の両壁際の近傍に上記間隔（６０８ｍｍ）をおいて床スラブ２に立設固定する。またこの部屋では、大引材６を架設する支持脚４間のスパンは３６５０ｍｍである。
【００３４】
各支持脚４は、接着材５４を用いて床スラブ２に固定する。この接着材５４を用いて、床スラブ２に支持脚４の台座１２を接着したときには、連通する台座１２の孔部２４と支持部材１４の孔部３４とを接着材５４が通過して支持部材１４の円板部２８の上部に滲み出てやがて固化する。このため、台座１２が強固かつ確実に床スラブ２に固着される。また、台座１２の裏面に設けられた上記溝部２６により、上記接着材５４が裏面の隅々まで行き届き接着が広く平均的に行われる。
【００３５】
次に、向かい合う支持脚４同士の間に大引材６を架設し、併せて各支持脚４の受け具１６を回転操作して高さ調整を行なう。そして、取付け金具３８を用いて各大引材６を支持脚４に固定する。このとき、一方の金具片４０の嵌込み部４２を受け具１６の一端部側から嵌め込んで係止させ、他方の金具片４１についても受け具１６の他端部側から嵌め込み、ビス４５を用いて各取付け部４４をそれぞれ大引材６の側面部５０に固定する。上記支持脚４により、大引材６の両端部は緩衝支持される。
【００３６】
上記支持脚４の台座１２を床スラブ２に固着し、大引材６を支持脚４の受け具１６に固定することにより、振動による大引材６の上方への移動が阻止され支持の強固な床構造が形成される。
【００３７】
上記大引材６の設置後、各大引材６間の床スラブ２の上部に遮音マット５を配置する。そして、各大引材６の上面に下張板８を配置する。また、下張板８の取付けについては、下張板８の上部からビス５５をねじ込み、そのままビス５５の先端部を大引材６の上面部５２に螺設する。このビス５５としては、大引材６の鋼板に下穴をあけるとともにタップ立て締め付けが同時にできるセルフドリリングビスなどが用いられる。
【００３８】
また、角筒形状の上記大引材６を採用し、この大引材６の板厚を上記範囲内に制限することで、上記ビス５５を用いて下張板８を直接大引材６に取り付けることができる。通常、大引材の上には根太材を配置し、この根太材に床板材を取り付けるものであるが、上記実施の形態では根太材を使用していない。根太材を使用すると、それに対するコスト及び作業負担が加わり、また床が高くなり部屋の空間が狭くなる。上記下張板８の上部には、貼着により化粧板１０を敷設して床構造を仕上げる。
【００３９】
図５は、大引材６の中間部の１箇所（一列）に補強支持脚９を用いた床構造を示したものである。この床構造は、上記大引材６の両端部を上記支持脚４で支持固定する点では共通する。そして、この床構造では大引材６の中央部に補強支持脚９を介在させ、大引材６の中間部を支持し補強する。この補強支持脚９により、大引材６の沈み込みを低減し防止する。
【００４０】
上記補強支持脚９は、図６（ａ）（ｂ）（ｃ）に示すように、大引材６を保持する保持具６２、緩衝部材６４、支持ボルト６６を有している。上記保持具６２は、鋼板を底面部７０と左右の側面部７２，７２からなるチャネル状に屈曲形成した保持部７１と、この保持部７１の底面部７０の下側中央部に固定されたナット部７４とを有している。また、上記各側面部７２には、それぞれ左右の部位に孔部７６が設けられている。
【００４１】
上記緩衝部材６４は、ゴム、合成樹脂などの弾性材からなり、横断面が円形状で、上部には円形状かつ底面が平坦な凹部７８が形成されている。上記支持ボルト６６は、合成樹脂或いは鋼材からなり、螺子溝が刻設されたボルト部８０の端部に断面円形の頭部８２が設けられている。
【００４２】
図６（ｂ）に示すように、上記補強支持脚９は、上記緩衝部材６４の凹部７８に支持ボルト６６の頭部８２を突入してボルト部８０を立設させ、ボルト部８０の上端部に上記保持具６２のナット部７４を螺着したものである。この補強支持脚９は、支持ボルト６６に対して保持具６２を相対回転させることで高さ調整が可能である。さらに、この補強支持脚９は図６（ｃ）に示すように、ボルト部８０にワッシャー８４を介してナット８６を螺合し、高さ調整後に、上記ナット８６を締め付けて支持ボルト６６に保持具６２を強く固定させる。
【００４３】
さて、支持脚４で両端部を支持された大引材６は、その中央部を補強支持脚９で支持する。図７に示すように、大引材６を補強支持脚９の保持具６２に嵌め込んで支持させ、併せて支持ボルト６６等を操作して補強支持脚９の高さ調整を行なう。そして、保持具６２の側面部７２に設けた孔部７６から上記ビス４５を螺設し、大引材６の側面部５０を保持具６２に固定する。また図８に示すように、隣り合う上記大引材６間に、鋼製の横桟７を取付けて大引材６同士を連結するのが効果的である。上記横桟７により、大引材６の横振れが防止され、大引材６の補強にもなる。
【００４４】
大引材６の設置後、上記実施の形態と同様に、各大引材６の上面に下張板８を配置し、下張板８の上部からビス５５をねじ込み、そのままビス５５の先端部を大引材６の上面部５２に螺設して下張板８を取り付ける。上記下張板８の上部には、貼着により化粧板１０を敷設する。
【００４５】
図９は、上記補強支持脚９を用いた他の床構造を示したものである。
この床構造は、さらに大引材６の中間部に上記補強支持脚９を２箇所（２列）介在させたものである。上記支持脚４と補強支持脚９との間隔、及び補強支持脚９同士の間隔は略均等にする。このように、大引材６の中間部に補強支持脚９を２箇所用いることで大引材６の沈み込みを更に改善する。
【００４６】
次に、上記床構造に関する社内試験及びその結果について説明する。
この社内試験で用いた大引材６は、断面が縦長の長方形状の鋼製の角筒材であり、断面（縦×横）のサイズは100mm×50mm、90mm×50mm、89mm×44.5mmの各種形状、また板厚は0.8mm〜2.3mmの各種形態のものを用いた。また支持脚４における大引材６の受け具１６は、ゴム製で硬度40°又は60°のものを用いた。上記大引材６の重量は、例えば断面90mm×50mm、板厚1.2mmのものは２．８５２ｋｇ／ｍである。
【００４７】
床構造の形態としては、大引材６の両端部を支持脚４で支持し補強支持脚９を用いない形態、大引材６の中央部に１箇所（１列）の補強支持脚９を用いる形態、大引材６の中間部に２箇所（２列）の補強支持脚９を用いる形態について試験を行った。上記大引材等の各種形態の組み合わせたそれぞれの仕様については、仕様番号(1)〜(9)として９種類のものについて各仕様毎に試験を行った。
【００４８】
試験環境としては、図１０に示すように、鉄筋コンクリート構造の建物の部屋（平面が長方形状で、大引材を差し渡した支持脚間のスパンは３６５０ｍｍ、大引材間の間隔は６０８ｍｍ）で行った。また床衝撃音等の試験は、上記建物の２階の部屋を音源としその階下の部屋で音を測定した。重量衝撃音はバングマシンにより、また軽量衝撃音はタッピングマシンにより発生させた。
【００４９】
試験１として、載荷荷重試験（４００ｋｇｆ／ｍ２）については各測定点における沈み込みの変位（mm）、及び局部曲げ（集中荷重）試験（１００ｋｇｆ）についても各測定点における沈み込みの変位（mm）を測定した。
【００５０】
測定点は、載荷荷重試験については測定点Ｐ（又はＰ及びＲ）を中心とする１ｍ２の載荷範囲において、局部曲げ試験については測定点Ｐ、Ｑ（又はＰ、Ｑ、Ｒ及びＳ）において行った。具体的には、仕様(1)〜(3)及び仕様(5)については測定点Ｐ（局部曲げ試験はＰ及びＱ）、仕様(4)及び仕様(6)〜(9)については測定点Ｐ及びＲ（局部曲げ試験はＰ、Ｑ、Ｒ及びＳ）について測定を行った。複数個所で測定を行ったものについては、その内で最も沈み込みの変位が大きいものを測定結果とした。
【００５１】
図１１（ａ）は上記試験１（載荷荷重及び局部曲試験）の結果を示した表である。この試験結果から、載荷荷重試験における沈み込みの変位については、補強支持脚９無しの場合には７．５ｍｍ（公団基準）を上回る変位が測定されたが、大引材６の中間部に補強支持脚９を１箇所（１列）或いは２箇所（２列）配置した床構造については、変位は略７．５ｍｍ以下で良好な結果が得られた。ただし、仕様(8)の板厚が０．８ｍｍかつ補強支持脚９を１箇所（１列）配置した形態については、変位が８．１５ｍｍであったが、これは仕様(9)のように補強支持脚を２箇所（２列）配置することで改善が可能である。
【００５２】
また、局部曲げ試験における沈み込みの変位については、補強支持脚９無しの場合には３．０ｍｍ（公団基準）を上回る変位が測定された（ただし、板厚２．３ｍｍの大引材では変位３．１ｍｍと良好）が、大引材６の中間部に補強支持脚９を１箇所（１列）或いは２箇所（２列）配置した床構造については、変位は３．２ｍｍ以下で良好な結果が得られた。ただし、仕様(8)の板厚が０．８ｍｍかつ補強支持脚９を１箇所（１列）配置した形態については、変位が３．５ｍｍであったが、これは仕様(9)のように補強支持脚を２箇所（２列）配置することで改善が可能である。
【００５３】
次に、試験２として、床衝撃音遮断性能を測定し、上記床構造を施工しない床スラブのままの状態での測定結果と、上記床構造を敷設した状態での測定結果とを比較し、床構造による改善量（ｄＢ）を求めた。試験の環境条件は試験１と同様であり、上記仕様(1)〜(9)について行った。また、衝撃源の中心周波数としては、６３Ｈｚ、１２５Ｈｚ、２５０Ｈｚ、５００Ｈｚ及び１ｋＨｚについて測定した。
【００５４】
図１１（ｂ）は上記試験２（床衝撃音遮断性能試験）の結果を示した表である。この試験結果から床衝撃音遮断性能については、補強支持脚９無し、補強支持脚９を１列或いは２列配置した何れの形態においても、また軽量衝撃及び重量衝撃の何れについても良好な改善が図られている。ここで重量衝撃については、衝撃源の中心周波数が６３Ｈｚの場合にも良好な改善が図られている。これは、建物躯体の近傍である部屋の壁際において大引材の両端部を主に支持し、大引材の中間部は補強程度の僅かな支持脚で支持する上記床構造によるものと考えられる。
【００５５】
以上から、大引材６の両端部を支持する支持脚４間のスパンが３６５０ｍｍ程度の床構造においては、鋼板の板厚が０．８ｍｍ以上で断面が長方形状の角筒の大引材を用い、この大引材の中間部の１箇所（板厚が薄い場合は２箇所）を補強支持脚で支持する構成を採用することで、床強度及び衝撃音遮断性能に優れた床構造が得られるものといえる。
【００５６】
従って、上記実施の形態においては、上記筒状の大引材６は軽量でも充分な剛性が確保でき、また運搬性及び作業性が良く、併せて補強支持脚９の設置箇所を少なく（１、２箇所）することができ、このため部品点数が削減できて経済性にも優れる。また、部屋の向かい合う壁際に配置した支持脚４で主に大引材６の端部を支持する構成により、固体伝播音を防ぎ、遮音性能を高めることができた。
なお上記床構造は、コンクリート構造の建物以外に、鉄骨構造などの建物にも適用可能である。
【図面の簡単な説明】
【００５７】
【図１】本発明の実施の形態に係る床構造を示す図である。
【図２】実施の形態に係り、（ａ）は支持脚の台座を、（ｂ）は支持部材を、（ｃ）は受け具を取付けた支持脚を示す図である。
【図３】支持脚の（ａ）は受け具を、（ｂ）は受け具の保持部材を示す図である。
【図４】実施の形態に係り、（ａ）は受け具に取付け部材を嵌める状態を、（ｂ）は受け具に大引材を固定した状態を、（ｃ）は他の大引材を示す図である。
【図５】実施の形態に係り、大引材を補強支持脚で支持した床構造を示す図である。
【図６】実施の形態に係り、（ａ）は補強支持脚の保持具、緩衝部材、支持ボルトを、（ｂ）は補強支持脚を、（ｃ）はナットを締結した補強支持脚を示す図である。
【図７】実施の形態に係り、大引材を支持した補強支持脚を示す図である。
【図８】実施の形態に係り、大引材間に横桟を配置した床構造を示す図である。
【図９】実施の形態に係り、大引材の２箇所を補強支持脚で支持した床構造を示す図である。
【図１０】実施の形態に係り、社内試験に係る床構造の一仕様を示す図である。
【図１１】実施の形態に係り、社内試験結果を示す表で（ａ）は試験１の結果を、（ｂ）は試験２の結果を示すものである。
【符号の説明】
【００５８】
２  基礎面（床スラブ）
４  支持脚
７  横桟
６  大引材
８  床板（下張板）
９  補強支持脚
【図１】
2008196120.tif 000003
【図２】
2008196120.tif 000004
【図３】
2008196120.tif 000005
【図４】
2008196120.tif 000006
【図５】
2008196120.tif 000007
【図６】
2008196120.tif 000008
【図７】
2008196120.tif 000009
【図８】
2008196120.tif 000010
【図９】
2008196120.tif 000011
【図１０】
2008196120.tif 000012
【図１１】
2008196120.tif 000013